(57)【要約】【課題】照明器具本体を支える取付けアームに対する取付け角度を容易に調節できる防犯用照明器具を提供すること。【解決手段】発光体を内蔵した照明器具本体と、前記照明器具本体に対して回動可能に支承された支承筒と、前記支承筒の回動軌跡内の照明器具本体側に配設された複数の段部と、前記段部の任意の位置に固着することにより前記支承筒を前記照明器具本体に対して所定角度で固定する固定金具とを備え、前記支承筒に外部から挿入され、前記照明器具本体を支える取付けアームに対する取付け角度が調節可能であるので、取付けアームに対する取付け角度を容易に調節することができる。また、照明器具の寸法を短くすることができる。【選択図】図３
2007317462.tif 000002
【特許請求の範囲】
【請求項１】
発光体を内蔵した照明器具本体と、
前記照明器具本体に対して回動可能に支承された支承筒と、
前記支承筒の回動軌跡内の照明器具本体側に配設された複数の段部と、
前記段部の任意の位置に固着することにより前記支承筒を前記照明器具本体に対して所定角度で固定する固定金具とを備え、
前記支承筒に外部から挿入され、前記照明器具本体を支える取付けアームに対する取り付け角度が調節可能であることを特徴とする防犯用照明器具。
【請求項２】
前記照明器具本体は、発光体に隣接して反射板を有すると共に、
前記反射板の一部が開閉可能に構成されており、
前記開閉可能に構成された反射板の裏面に配設された前記固定金具と段部の組み合わせを変更可能としたことを特徴とする請求項１に記載の防犯用照明器具。
【請求項３】
前記照明器具本体の外部から取付けアームが挿入され支承筒の周囲には、雨水の浸入を防止する蛇腹部材が配設されたことを特徴とする請求項１または２に記載の防犯用照明器具。
【請求項４】
前記複数の段部には、それぞれ照明器具本体の取り付け角度を表示する数字が表示されたことを特徴とする請求項１〜３の何れか１に記載の防犯用照明器具。
【発明の詳細な説明】
【技術分野】
【０００１】
本発明は、住宅地の歩行者用街路の高所に配置する防犯を目的とした防犯用照明器具に関し、特に取付けアームに対する取付け角度を可変とした防犯灯照明器具に関するものである。
【背景技術】
【０００２】
従来の住宅地等の歩行者用街路に設置する防犯用照明器具は、照明器具の取付け角度に合わせて取付けパイプのアーム角度が設定されて、製造されていた。このため、一定の照射角度で照射した場合、農作物に悪影響を及ぼしたり、特定の民家が眩しいというような、光公害が生じた場合には、アダプターを使用して照明器具の取付け角度を変更していた。また別の手段として、遮光板を追加して一定の方向に光りが漏れないようにして、現場で対応措置をとっていた。
【発明の開示】
【発明が解決しようとする課題】
【０００３】
しかし、このような構成の従来の防犯用照明器具において、現場でその都度、アダプターを付けたり、遮光板を追加する等の対応措置をとらなければならず、納期が大幅に遅れたり、設置コストが嵩むと云う欠点が存在した。また、アダプターを付けた場合、全体寸法が長くなるという欠点が存在した。
【０００４】
この発明は、上記に鑑み提案されたもので、照明器具の取付け角度を複数段に変更できる取付け角変更機構を設けることにより、設置環境に合わせて照射面を変更して、光公害の防止と街路を適切に照射することのできる防犯用照明器具を提供することを目的とするものである。
【課題を解決するための手段】
【０００５】
上記目的を達成する為に、本発明の防犯用照明器具は、発光体を内蔵した照明器具本体と、前記照明器具本体に対して回動可能に支承された支承筒と、前記支承筒の回動軌跡内の照明器具本体側に配設された複数の段部と、前記段部の任意の位置に固着することにより前記支承筒を前記照明器具本体に対して所定角度で固定する固定金具とを備え、前記支承筒に外部から挿入され、前記照明器具本体を支える取付けアームに対する取付け角度が調節可能であることを特徴としている。
【０００６】
また、本発明において、前記照明器具本体は、発光体に隣接して反射板を有すると共に、前記反射板の一部が開閉可能に構成されており、前記開閉可能に構成された反射板の裏面に配設された前記固定金具と段部の組み合わせを変更可能としたことを特徴とする。
【０００７】
また、本発明において、前記照明器具本体の外部から取付けアームが挿入され支承筒の周囲には、雨水の浸入を防止する蛇腹部材が配設されたことを特徴とする。
【０００８】
また、本発明において、前記複数の段部には、それぞれ照明器具本体の取付け角度を表示する数字が表示されたことを特徴とする。
【発明の効果】
【０００９】
この発明は上記した構成からなるので、以下に説明するような効果を奏することができる。
【００１０】
本発明では、発光体を内蔵した照明器具本体と、前記照明器具本体に対して回動可能に支承された支承筒と、前記支承筒の回動軌跡内の照明器具本体側に配設された複数の段部と、前記段部の任意の位置に固着することにより前記支承筒を前記照明器具本体に対して所定角度で固定する固定金具とを備え、前記支承筒に外部から挿入され、前記照明器具本体を支える取付けアームに対する取付け角度が調節可能であるので、取付けアームに対する取付け角度を容易に調節することができる。また、照明器具を一旦取り付けた後においても容易に角度を変更することができる。
【００１１】
また、本発明において前記照明器具本体は、発光体に隣接して反射板を有すると共に、前記反射板の一部が開閉可能に構成されており、前記開閉可能に構成された反射板の裏面に配設された前記固定金具と段部の組み合わせを変更可能としたので、取付け角度の変更を手軽に行うことができる。また、反射板の裏面に取付け角変更機構を配設したので、防犯用照明器具の寸法を短く、コンパクトにすることができる。
【００１２】
また、本発明において前記照明器具本体の外部から取付けアームが挿入され支承筒の周囲には、雨水の浸入を防止する蛇腹部材が配設されたので、取付け角度を変更しても、防犯用照明器具に雨水が浸入する虞れがなく、故障の原因になることもない。
【００１３】
また、本発明において前記複数の段部には、それぞれ照明器具本体の取付け角度を表示する数字が表示されたので、取付け角度を変更する際の目安として便利である。
【発明を実施するための最良の形態】
【００１４】
防犯用照明器具において、既存の取付けパイプ（取付けアーム）の傾斜角度を変更することなく、防犯用照明器具の取付け角変更機構を設けることにより、取付け角度を変更するという目的が達成できる。また、照明器具の寸法を短くして、コンパクトにすることができる。
【実施例】
【００１５】
以下、一実施の形態を示す図面に基づいて本発明を詳細に説明する。図１は本発明に係る防犯用照明器具の一例を示す全体説明図、図２は本発明の防犯用照明器具における一部を切り欠いた底面図、図３は本発明の防犯用照明器具の取付け角変更機構を示す分解斜視図である。ここで、防犯用照明器具１０は、発光体１１を内蔵した照明器具本体１２と、前記照明器具本体１２に対して回動可能に支承された支承筒１３と前記支承筒１３の回動軌跡内の照明器具本体側に配設された複数の段部１４と前記段部１４の任意の位置に固着することにより前記支承筒１３を前記照明器具本体１２に対して所定角度で固定する固定金具１５とから成る取付け角変更機構１６を備えており、前記支承筒１３に外部から挿入され、照明器具本体１２を支える取付けアーム１７に対する取付け角度が調節可能である。
【００１６】
照明器具本体１２の下面には、透光性のアクリル樹脂等から構成されたグローブ１８が開閉自在に取り付けられており、クランプ１９によって固定されている。また、グローブ１８を外した照明器具本体１２の下端には、発光体である蛍光灯１１がコンセント２０および支持金具２１によって取り付けられている。
【００１７】
発光体１１の直上には、反射板２２が配設されており、この反射板２２の一部２２ａ（コンセント側）が開閉可能に構成されている。また、この開閉可能に構成された反射板２２ａの裏面（上方）には、取付け角変更機構１６配設されている。図３等に示すように取付け角変更機構１６は、照明器具本体１２に対してビス２４で固定された回動金具２３ａ、２３ｂによって回動可能に支承された支承筒１３と、この支承筒１３の回動軌跡内の照明器具本体側に立設された複数の段部１４ａ、１４ｂ、１４ｃと、前記段部１４ａ、１４ｂ、１４ｃの任意の位置に固着することにより前記支承筒１３を前記照明器具本体１２に対して所定角度で固定する固定金具１５とから構成されている。
【００１８】
支承筒１３は、取付けアーム１７を挿入することのできる内径を有しており、挿入された取付けアーム１７を固定ビス２５で固定することができる。また、照明器具本体１２に固定された回動金具２３によって、支承筒１３は回動軸２６を中心に揺動する。更に、支承筒１３は、ボルト２７によって回動金具２３ａに固定されている。
【００１９】
固定金具１５は、略半円形の半円部材１５ａ、１５ｂが支承筒１３の外周を上下から挟むとともに、半円部材１５ａ、１５ｂの接合部分に形成された左右のフランジ部１５ｃを貫通するボルト２８によって複数の段部１４の何れか１つに固定される。
【００２０】
複数の段部１４ａ、１４ｂ、１４ｃは、順次その高さ寸法が、低くなり上面にボルト２８と螺合するボルト孔が形成されている。また、段部１４の上面は、回動軸２６を中心に回動する支承筒１３の軌跡に合わせて順次前下がりに傾斜している。つまり、段部１４ａの上面は、略水平であるが、段部１１ｂ、１４ｃになるに従って前方に傾斜している。なお、段部１４の数は、３段に限ることなく、４段以上に構成してもよい。
【００２１】
照明器具本体１２の外部から取付けアーム１７が挿入され支承筒１３の周囲には、雨水の浸入を防止する蛇腹部材２９が配設されている。蛇腹部材２９は、弾性体、例えば、合成ゴム等から構成されており、支承筒１３に外部から挿入された取付けアーム１７の回動に従って自由に変形することができる。したがって、外部から雨水が内部に進入するのを阻止することができる。
【００２２】
以上のように構成した防犯用照明器具１０の使用手順について説明する。ここで、防犯用照明器具１０は、段部１４が３段階の高さを有しており、本実施例では、２０度、１２．５度、５度の傾きとすることができる。先ず、図６に示す場合では、固定金具１５は段部１４ａに固定され、支承筒１３は照明器具本体１２に対してほぼ平行に固定される。したがって、取付けアーム１７の傾きである水平面に対して２０度に照明器具の照射面が設定される。
【００２３】
図７に示すように固定金具１５を段部１４ｃに取り付けて支承筒１３を固定すると、支承筒１３は照明器具本体１２に対して大きく傾き、照明器具の照射面が水平面に対して５度に設定される。また、固定金具１５を段部１４ｂに取り付けて支承筒１３を固定すると、照明器具の照射面が水平面に対して１２．５度に設定される。
【００２４】
なお、段部の数は、２段であってもよく、４段以上であってもよい。また、本発明は上述の実施例に限定されることなく、特許請求の範囲の記載に基づいて種々の設計変更が可能である。
【図面の簡単な説明】
【００２５】
【図１】図１は、本発明に係る防犯用照明器具の一例を示す全体説明図である。
【図２】図２は、同防犯用照明器具における一部を切り欠いた底面図である。
【図３】図３は、同防犯用照明器具の取付け角変更機構を示す分解斜視図である。
【図４】図４は、同取付け角変更機構を示す底面図である。
【図５】図５は、図４におけるＡ−Ａ線断面図である。
【図６】図６は、同防犯用照明器具における取付け角度が２０度の場合を示す説明図である。
【図７】図７は、同防犯用照明器具における取付け角度が５度の場合を示す説明図である。
【符号の説明】
【００２６】
１０      防犯用照明器具
１１      発光体（蛍光灯）
１２      照明器具本体
１３      支承筒
１４      段部
１５      固定金具
１６      取付け角変更機構
１７      取付けアーム
１８      グローブ
１９      クランプ
２０      コンセント
２１      支持金具
２２      反射板
２３      回動金具
２４      ビス
２５      固定ビス
２６      回動軸
２７      ボルト
２８      ボルト
２９      蛇腹部材
【図１】
2007317462.tif 000003
【図２】
2007317462.tif 000004
【図３】
2007317462.tif 000005
【図４】
2007317462.tif 000006
【図５】
2007317462.tif 000007
【図６】
2007317462.tif 000008
【図７】
2007317462.tif 000009